(57)【要約】      （修正有）【課題】印刷媒体へシリアル印刷するのに用いる主走査スライドレール支持調整機構及びこれを搭載した画像形成装置に関し、製造コストの低減、平行度調整の容易化及び正確化、印字処理時の負荷増大の防止を図る。【解決手段】キャリッジを主走査スライドレール上で往復運動しながらシリアル印刷を行うプロッタユニットにおける前記レールを支持し上下方向に調整するための主走査スライドレール支持調整機構において、２箇所のねじ部１７，１８と先端に工具嵌合部１９とを設けた支持調整ねじ部材１２と、内側にめねじ部１３ａを設けたスリーブ部材１３と、支持調整ねじ部材１２と同軸に配設され複数の複数のねじ穴２３を有する固定部材１１と、この固定部材１１の上に配置された主走査スライドレール受８と、スライドレール受８に設けられた貫通孔を通してねじ穴２３に締結されスライドレール受８と固定部材１１とを締結する締結部材９とを有する。【選択図】図３
2010089485.tif 000002
【特許請求の範囲】
【請求項１】
印刷媒体に対し、インクを吐出する印刷ヘッドを搭載したキャリッジを備え、キャリッジを主走査スライドレール上で往復運動しながらシリアル印刷を行うプロッタユニットにおける、主走査スライドレールを支持し、上下方向に調整するための主走査スライドレール支持調整機構において、
２箇所のねじ部と先端に工具嵌合部とを設けた支持調整ねじ部材と、
内側にねじ部を設けたスリーブ部材と、
支持調整ねじ部材と同軸で、前記支持調整ねじ部材に対し回転方向に固定され複数のねじ穴を有する固定部材と、
前記固定部材の上に配置された前記主走査スライドレール受け部材と、
前記スライドレール受け部材に設けられた穴を通して前記ねじ穴に締結され前記スライドレール受け部材と前記固定部材とを締結する締結部材と
を有することを特徴とする主走査スライドレール支持調整機構。
【請求項２】
固定部材の複数のねじ穴は、支持調整ねじ部材の回転中心に対し等角度間隔で設けていることを特徴とする請求項１記載の主走査スライドレール支持調整機構。
【請求項３】
支持調整ねじ部材に対し、固定部材の複数のねじ穴に対応する主走査スライドレール受け部材に設けられた前記穴は、円周方向に長い長穴であることを特徴とする請求項１又は２に記載の主走査スライドレール支持調整機構。
【請求項４】
前記支持調整ねじ部材と前記固定部を一体に形成したことを特徴とする請求項１乃至３のいずれか一項に記載の主走査スライドレール支持調整機構。
【請求項５】
印刷媒体に対し、インクを吐出する印刷ヘッドを搭載したキャリッジを備え、キャリッジを主走査スライドレール上で往復運動しながらシリアル印刷を行うプロッタユニットにおける、主走査スライドレールを支持し、上下方向に調整するための主走査スライドレール支持調整機構において、
２箇所のねじ部と先端に工具嵌合部とを設けた支持調整ねじ部材と、
内側にねじ部を設けたスリーブ部材と、
主走査スライドレールを受ける主走査スライドレール受け部材と、
支持調整ねじ部材と同軸で、前記スライドレール受け部材の上に設けられ、支持調整ねじ部材に対し回転方向に固定され、複数の穴を有する固定部材と、前記穴を通して前記スライドレール受け部材に設けられたねじ穴に締結され、前記スライドレール受け部材と前記固定部材とを締結する締結部材と
を有することを特徴とする主走査スライドレール支持調整機構。
【請求項６】
回転方向に固定する固定部材の前記複数の穴は、半径方向に長い長穴であることを特徴とする請求項５記載の主走査スライドレール支持調整機構。
【請求項７】
回転方向に固定する固定部材の前記複数の穴は、回転中心に対し等角度間隔で設けていることを特徴とする請求項５又は６に記載の主走査スライドレール支持調整機構。
【請求項８】
回転方向に固定する固定部材を回り止めする前記締結部材は、段付きねじであることを特徴とする請求項５乃至７のいずれか一項に記載の主走査スライドレール支持調整機構。
【請求項９】
回転方向に固定する固定部材外周の回り止めする締結部材が嵌合する面は、支持調整ねじ部材嵌合部の面よりも、持ち上がっていることを特徴とする請求項８に記載の主走査スライドレール支持調整機構。
【請求項１０】
回転方向に固定する固定部材の穴は、円周方向に長い長穴であることを特徴とする請求項５記載の主走査スライドレール支持調整機構。
【請求項１１】
スリーブ部材内側のねじ部と、それに嵌合する支持調整ねじのねじ部は、台形ねじであることを特徴とする請求項１乃至１０のいずれか一項に記載の主走査スライドレール支持調整機構。
【請求項１２】
スリーブ部材内側のねじ部、若しくはそれに嵌合する支持調整ねじのねじ部には、緩み止め処理が施されることを特徴とする請求項１乃至１０のいずれか一項に記載の主走査スライドレール支持調整機構。
【請求項１３】
主走査スライドレールの支持調整機構を複数設けたことを特徴とする請求項１乃至１２のいずれか一項に記載の主走査スライドレール支持調整機構。
【請求項１４】
請求項１乃至１４のいずれか一項に記載の主走査スライドレール支持調整機構を搭載した画像形成装置。
【請求項１５】
上方に主に印刷を行うプロッタユニットと、下方に主に給紙部等を持つ給紙ユニットを持ち、
上下に分離可能な画像形成装置の前記プロッタユニットの支持調整機構において、
標準調整位置となる座面を持ち、内側に貫通穴、外側におねじ部、先端に工具嵌合部を設けた支持調整ねじ部材と、
内側にめねじ部を設けたフレーム部材と、
支持調整ねじ部材と同軸で、前記支持調整ねじ部材に対し回転方向に固定され複数のねじ穴を有する固定部材と、
前記フレーム部材に設けられた穴を通して前記ねじ穴に締結され前記フレーム部材と前記固定部材とを締結する締結部材と
を有することを特徴とするプロッタユニット支持調整機構。
【請求項１６】
回転方向に固定する固定部材は、フレーム部材から一体、又は別体の保持部材により保持されることを特徴とする請求項１５に記載のプロッタユニット支持調整機構。
【請求項１７】
請求項１５又は１６に記載のプロッタユニット支持調整機構を搭載した画像形成装置。
【発明の詳細な説明】
【技術分野】
【０００１】
本発明は主走査スライドレール支持調整機構、プロッタユニット支持調整機構、及びこれを搭載した画像形成装置に係り、特に横幅の大きい印刷媒体に対し往復運動する印刷ヘッドにより印刷媒体へシリアル印刷するのに用いて好適な主走査スライドレール支持調整機構、プロッタユニット支持調整機構、及びこれを搭載した画像形成装置に関する。
【背景技術】
【０００２】
一般に、往復運動する印刷ヘッドにより印刷媒体へシリアル印刷を行うインクジェット式画像形成装置では、印刷ヘッド面とプラテン面の隙間を高精度に一定に保つ必要がある。特にキャリッジを往復運動させながら、双方向で印刷して、画像形成させる場合、主走査範囲で印刷ヘッド面とプラテン面との隙間が一定でないと、位置ずれを起こしやすくなることが知られている。しかしながら、印刷ヘッドを乗せたキャリッジが移動するガイド柱や主走査スライドレールと、印刷媒体を受けるプラテン間を、部品精度だけで高精度に平行度を保つことは非常に困難である。
【０００３】
印刷媒体がＡ３用紙以下の小型のインクジェット式画像形成装置は、ガイド柱や主走査スライドレールとプラテンを一体の構造体で支持し、ガイド柱や主走査スライドレール、若しくはプラテンの支持部に偏心カムを備え、その偏心カムを調整することにより印刷ヘッド面とプラテン面の隙間を調整できるようになっているものが多い。
【０００４】
一方、主な印刷媒体がＡ２用紙以上の大型のインクジェット式画像形成装置では、印刷媒体の幅が広くなることから主走査範囲も広くなり、ガイド柱や主走査スライドレールと、プラテンを一体の構造体で支持することが困難になる。そのため、印刷ヘッドの主走査範囲にわたって、印刷ヘッド面の先端部、及び後端部とプラテン面との隙間が一定になるよう、プラテンの４隅近傍に、プラテン、若しくはキャリッジが移動するガイド柱や主走査スライドレールの上下調整機構を設けている場合が多い。
【０００５】
ここで、プラテン側に上下調整機構を設けているものも多いが、印刷ヘッドが大きい場合、印刷ヘッドに対し、印刷媒体の搬送方向における上流側、下流側で搬送ローラ等で印刷媒体をおさえるだけでは、プラテン面から印刷媒体の浮き上がりを防止できないため、プラテン面に印刷媒体の浮き上がりを防止する吸引機構を設ける方法が知られている。
【０００６】
プラテン面に吸引機構を設けた場合、吸引機構が主走査範囲全域にわたるため、吸引機構部を構造体に固定して、構造体の一部とすることが多い。この場合、吸引機構ごとプラテンを上下調整することは構成上困難なため、キャリッジが移動する主走査スライドレールの上下調整を行い、更に主走査スライドレールの支持も兼ねた、支持調整機構を設けることが多い（特許文献１〜４参照）。
【発明の概要】
【発明が解決しようとする課題】
【０００７】
ところで、主走査スライドレールの支持調整機構を設けているものは、上下調整は送りねじによるものが多く、この送りねじを備えた支持調整ねじを回転させることにより、主走査スライドレールを上下させて、印刷ヘッド面とプラテン面との隙間を調整できるようにしている。ここで、支持調整ねじを回転させるためには、支持調整ねじ外周に六角形状等を設けて、支持調整機構側面からスパナ等を用いるか、支持調整ねじ先端に十字穴形状
等を設けて、主走査スライドレール上面より、十字型ドライバー等を用いて調整作業できるようになっているものが多い。更に、調整した支持調整ねじの回転を固定させるため、支持調整機構側面より止めねじで支持調整ねじを固定できるものが多い。
【０００８】
しかしながら、支持調整ねじの周囲には、用紙搬送のための駆動機構や、インクジェット式画像形成装置特有のヘッド維持機構、インク供給機構等が配置されるため、それらを全て組み付けた後で、支持調整機構の側面よりスパナや、ドライバー等を用いて支持調整ねじを固定することは、作業性が悪い。
【０００９】
特に、大型のインクジェット式画像形成装置では生産性を上げるために印刷ヘッドの搭載数が多くなること等により、キャリッジもその分巨大になり、それを支える主走査スライドレールも主走査方向に長くなってしまう。結果として、その主走査スライドレールを支持する支持調整機構は、主走査スライドレールの下に更に隠れてしまうため、支持調整機構に対し側面からの作業性はますます悪くなってしまうという問題がある。
【００１０】
また、インクジェット式に関わらず、大型の画像形成装置では印刷媒体として、給紙ロールを装置内に保持し、供給することにより長尺印刷できるようになっているものが多い。給紙ロールを複数持てるような画像形成装置では、装置を上下に分割し、上方に主に印刷を行うプロッタユニット、下方に主に給紙部等を持つ給紙ユニットを配置するようになっているものがある。この場合、用紙搬送スキューを防止するため、上方のプロッタユニットの用紙搬送部と、下方の給紙ロール部は、その間隔に精度はあまり要求されないが、その平行度は高精度に保つ必要がある。ここでも、給紙ユニットに対するプロッタユニットの上下調整と支持も兼ねた、支持調整機構の適用が考えられる。
【００１１】
組立工場での製品出荷状態では、給紙ユニット内の給紙ロール部に対するプロッタユニット用紙搬送部の平行度に問題がなくても、設置面に凹凸があり、製品にわずかな歪みが生じた際に、平行度調整を行わなければならないことがあるが、プロッタユニットの平行度支持調整についても、各種駆動機構や、電装部品等が配置され、それらが全て組み付いている状態で、支持調整機構の側面よりスパナや、ドライバー等を用いて支持調整ねじを固定することは、作業性が悪い。
【００１２】
以上のように、従来技術では支持調整ねじを回転させるための作業方向と、支持調整ねじを固定させるための作業方向が異なるため、支持調整ねじを回転させるための作業空間と、支持調整ねじを固定させるための作業空間をそれぞれ確保しなければならないという課題がある。
【００１３】
本発明は上記の点に鑑みてなされたものであり、製造コストの低減、平行度調整の容易化及び正確化、印字処理時の負荷増大の防止を図りうる主走査スライドレール支持調整機構とプロッタユニット支持調整機構、及びこれを搭載した画像形成装置を提供することを目的とする。
【課題を解決するための手段】
【００１４】
上記の課題を解決するために本発明では、次に述べる各手段を講じたことを特徴とするものである。
【００１５】
請求項１記載の発明は、印刷媒体に対し、インクを吐出する印刷ヘッドを搭載したキャリッジを備え、キャリッジを主走査スライドレール上で往復運動しながらシリアル印刷を行うプロッタユニットにおける、主走査スライドレールを支持し、上下方向に調整するための主走査スライドレール支持調整機構において、２箇所のねじ部と先端に工具嵌合部とを設けた支持調整ねじ部材と、内側にねじ部を設けたスリーブ部材と、支持調整ねじ部材と同軸で、前記支持調整ねじ部材に対し回転方向に固定され複数のねじ穴を有する固定部材と、前記固定部材の上に配置された前記主走査スライドレール受け部材と、前記スライドレール受け部材に設けられた穴を通して前記ねじ穴に締結され前記スライドレール受け部材と前記固定部材とを締結する締結部材とを有することを特徴とするものである。
【００１６】
また、請求項２記載の発明は、請求項１記載の主走査スライドレール支持調整機構において、固定部材の複数のねじ穴は、支持調整ねじ部材の回転中心に対し等角度間隔で設けていることを特徴とするものである。
【００１７】
また、請求項３記載の発明は、請求項１又は２記載の主走査スライドレール支持調整機構において、支持調整ねじ部材に対し、固定部材の複数のねじ穴に対応する主走査スライドレール受け部材に設けられた前記穴は、円周方向に長い長穴であることを特徴とするものである。
【００１８】
また、請求項４記載の発明は、請求項１乃至３のいずれか一項に記載の主走査スライドレール支持調整機構において、前記支持調整ねじ部材と前記固定部を一体に形成したことを特徴とするものである。
【００１９】
また、請求項５記載の発明は、印刷媒体に対し、インクを吐出する印刷ヘッドを搭載したキャリッジを備え、キャリッジを主走査スライドレール上で往復運動しながらシリアル印刷を行うプロッタユニットにおける、主走査スライドレールを支持し、上下方向に調整するための主走査スライドレール支持調整機構において、２箇所のねじ部と先端に工具嵌合部とを設けた支持調整ねじ部材と、内側にねじ部を設けたスリーブ部材と、主走査スライドレールを受ける主走査スライドレール受け部材と、支持調整ねじ部材と同軸で、前記スライドレール受け部材の上に設けられ、支持調整ねじ部材に対し回転方向に固定され、複数の穴を有する固定部材と、前記穴を通して前記スライドレール受け部材に設けられたねじ穴に締結され、前記スライドレール受け部材と前記固定部材とを締結する締結部材とを有することを特徴とするものである。
【００２０】
また、請求項６記載の発明は、請求項５記載の主走査スライドレール支持調整機構において、回転方向に固定する固定部材の前記複数の穴は、半径方向に長い長穴であることを特徴とするものである。
【００２１】
また、請求項７記載の発明は、請求項５又は６に記載の主走査スライドレール支持調整機構において、回転方向に固定する固定部材の前記複数の穴は、回転中心に対し等角度間隔で設けていることを特徴とするものである。
【００２２】
また、請求項８記載の発明は、請求項５乃至７のいずれか一項に記載の主走査スライドレール支持調整機構において、回転方向に固定する固定部材を回り止めする前記締結部材は、段付きねじであることを特徴とするものである。
【００２３】
また、請求項９記載の発明は、請求項８に記載の主走査スライドレール支持調整機構において、回転方向に固定する固定部材外周の回り止めする締結部材が嵌合する面は、支持調整ねじ部材嵌合部の面よりも、持ち上がっていることを特徴とするものである。
【００２４】
また、請求項１０記載の発明は、請求項５記載の主走査スライドレール支持調整機構において、回転方向に固定する固定部材の穴は、円周方向に長い長穴であることを特徴とするものである。
【００２５】
また、請求項１１記載の発明は、請求項１乃至１０のいずれか一項に記載の主走査スライドレール支持調整機構において、スリーブ部材内側のねじ部と、それに嵌合する支持調整ねじのねじ部は、台形ねじであることを特徴とするものである。
【００２６】
また、請求項１２記載の発明は、請求項１乃至１０のいずれか一項に記載の主走査スライドレール支持調整機構において、スリーブ部材内側のねじ部、若しくはそれに嵌合する支持調整ねじのねじ部には、緩み止め処理が施されることを特徴とするものである。
【００２７】
また、請求項１３記載の発明は、請求項１乃至１２のいずれか一項に記載の主走査スライドレール支持調整機構において、主走査スライドレールの支持調整機構を複数設けたことを特徴とするものである。
【００２８】
また、請求項１４記載の発明に係る画像形成装置は、請求項１乃至１４のいずれか一項に記載の主走査スライドレール支持調整機構を搭載したことを特徴とするものである。
【００２９】
また、請求項１５載の発明は、上方に主に印刷を行うプロッタユニットと、下方に主に給紙部等を持つ給紙ユニットを持ち、上下に分離可能な画像形成装置の前記プロッタユニットの支持調整機構において、標準調整位置となる座面を持ち、内側に貫通穴、外側におねじ部、先端に工具嵌合部を設けた支持調整ねじ部材と、内側にめねじ部を設けたフレーム部材と、支持調整ねじ部材と同軸で、前記支持調整ねじ部材に対し回転方向に固定され複数のねじ穴を有する固定部材と、前記フレーム部材に設けられた穴を通して前記ねじ穴に締結され前記フレーム部材と前記固定部材とを締結する締結部材とを有することを特徴とするものである。
【００３０】
また、請求項１６記載の発明は、請求項１５記載のプロッタユニット支持調整機構において、回転方向に固定する固定部材は、フレーム部材から一体、又は別体の保持部材により保持されることを特徴とするものである。
【００３１】
また、請求項１７記載の発明に係る画像形成装置は、請求項１５又は１６記載のプロッタユニット支持調整機構を搭載したことを特徴とするものである。
【発明の効果】
【００３２】
請求項１記載の発明によれば、主走査スライドレールの上下調整を、装置側面より作業することなく、全て装置上面より作業することにより、作業性の良い支持調整機構を提供することができる。
また、請求項２記載の発明によれば、主走査スライドレールを正確に一定の間隔で、上下調整することができる。
【００３３】
また、請求項３記載の発明によれば、主走査スライドレールを無段階で高精度に上下調整することができる。
【００３４】
請求項５記載の発明によれば、主走査スライドレールの上下位置調整を、装置側面より作業することなく、全て装置上面より作業することにより、作業性の良い支持調整機構を提供することができる。また、主走査スライドレールの支持をプラテンの４隅近傍の４箇所で行い、３箇所は主走査スライドレールの上下位置を固定の支持とし、１箇所のみ主走査スライドレール支持調整機構を使用する場合、抵抗なく容易に印刷ヘッド面とプラテン面との平行度を調整することできる。
【００３５】
請求項６記載の発明によれば、回転固定用円板の回転固定止めねじ用穴位置と、主走査スライドレール受の円板止めねじ穴の位置を厳密に同一にしなくても、回転固定用円板に対し回転固定用円板止めねじを組み付けることができる。
【００３６】
請求項７記載の発明によれば、主走査スライドレールを正確に一定の間隔で、上下位置調整することができる。
【００３７】
請求項８記載の発明によれば、主走査スライドレールの支持をプラテンの４隅近傍の４箇所で行い、３箇所は主走査スライドレールの上下位置を固定の支持とし、１箇所のみ請求項１記載の発明による主走査スライドレール支持調整機構を使用する場合、更に抵抗なく容易に上下位置調整が可能となる。
【００３８】
請求項９記載の発明によれば、主走査スライドレールの支持をプラテンの４隅近傍の４箇所で行い、３箇所は主走査スライドレールの上下位置を固定の支持とし、１箇所のみ請求項１記載の発明による主走査スライドレール支持調整機構を使用する場合、更に抵抗なく容易に上下位置調整が可能となる。
【００３９】
請求項１０記載の発明によれば、主走査スライドレールを無段階で上下位置調整することができる。
【００４０】
請求項１１記載の発明によれば、ガタもなく高精度に微調整できると共に、支持調整ねじの回転を固定後、スリーブ部に対するガタ取りをするためのねじ固定作業が不要になる。
【００４１】
請求項１２記載の発明によれば、ガタもなく高精度に微調整できると共に、支持調整ねじの回転を固定後、スリーブ部に対するガタ取りをするためのねじ固定作業が不要になる。
【００４２】
請求項１３記載の発明によれば、印刷ヘッド面とプラテン面との隙間、及び平行度を調整することできる。また、接近して主走査スライドレール支持調整機構を設けても、片方を上下位置調整した後、もう片方も容易に上下位置調整が可能となる。
【００４３】
請求項１４記載の発明によれば、印刷ヘッド面とプラテン面との隙間、及び平行度調整作業が容易なシリアル印刷式画像形成装置を提供することができる。
【００４４】
請求項１５記載の発明によれば、プロッタユニットの上下位置調整を、装置側面より作業することなく、全て装置上面よりの一方向から作業することにより、作業性の良い支持調整機構を提供することができる。
【００４５】
請求項１６記載の発明によれば、回転固定用円板がフレーム部材から分離落下することなく上下位置調整することができる。
【００４６】
請求項１７記載の発明によれば、プロッタユニットと、給紙ユニットとの平行度調整作業が容易な画像形成装置を提供することができる。
【図面の簡単な説明】
【００４７】
【図１】図１は、本発明に係る画像形成装置に設けられるプロッタユニットを示す斜視図である。
【図２】図２は、本発明の第１実施例である主走査スライドレール支持調整機構の近傍を拡大して示す斜視図である。
【図３】図３は、本発明の第１実施例である主走査スライドレール支持調整機構の分解図である。
【図４】図４は、本発明の第１実施例である主走査スライドレール支持調整機構に用いる支持調整ねじを拡大して示す斜視図である。
【図５】図５は、本発明の第１実施例である主走査スライドレール支持調整機構に用いる回転固定用円板を拡大して示す斜視図である。
【図６】図６は、本発明の第１実施例である主走査スライドレール支持調整機構に用いる主走査スライドレール受を示す斜視図である。
【図７】図７は、支持調整ねじが支持調整スリーブにねじ嵌合した状態を示す部分断面図である。
【図８】図８は、本発明の第２実施例である主走査スライドレール支持調整機構の近傍を拡大して示す斜視図である。
【図９】図９は、本発明の第２実施例である主走査スライドレール支持調整機構の分解図である。
【図１０】図１０は、支持調整ねじが支持調整スリーブにねじ嵌合した状態を示す断面図である。
【図１１】図１１は、本発明の第２実施例である主走査スライドレール支持調整機構に用いる支持調整ねじ及び回転固定用円板を拡大して示す斜視図である。
【図１２】図１２は、本発明の第３実施例である主走査スライドレール支持調整機構に用いる回転固定用円板を拡大して示す斜視図である。
【図１３】図１３は、本発明の第３実施例である主走査スライドレール支持調整機構の分解図である。
【図１４】図１４は、本発明に係る画像形成装置を示す斜視図である。
【図１５】図１５は、本発明に係る画像形成装置に設けられる給紙ユニットを示す斜視図である。
【図１６】図１６は、本発明の第４実施例であるプロッタユニット支持調整機構の近傍を拡大して示す斜視図である。
【図１７】図１７は、本発明の第４実施例であるプロッタユニット支持調整機構の分解図である。
【図１８】図１８（ａ）は、本発明の第４実施例であるプロッタユニット支持調整機構による調整前の状態を示す断面図であり、図１８（ｂ）は、調整後の状態を示す断面図である。
【発明を実施するための形態】
【００４８】
次に、本発明の実施の形態について図面と共に説明する。
【００４９】
図１は、本発明に係る画像形成装置に搭載されるプロッタユニットを拡大して示している。また、このプロッタユニットは、本発明の第１実施例である主走査スライドレール支持調整機構７Ａが搭載されている。
【００５０】
画像形成装置のプロッタユニットには種々の形態があるが、以下の説明においては、インクジェットヘッドを搭載したキャリッジ１を主走査スライドレール２に沿って図中矢印Ｘ１，Ｘ２方向（キャリッジ主走査方向という）に往復移動させると共に、印刷用紙（印刷媒体）を図中矢印Ｙ方向（印刷用紙搬送方向）に移動させることにより印刷用紙上に印刷する、いわゆるシリアル印刷タイプのプロッタユニットＰを例に挙げて説明する。本発明の第１実施例である主走査スライドレール支持調整機構７Ａは、プロッタユニットＰの主走査スライドレールとプロッタ側板４が交差する位置に配設されている。尚、各図において、矢印Ｚ１、Ｚ２で示す方向を上下方向（場合によっては、高さ方向とも記載する）である。
【００５１】
図２及び図３は、主走査スライドレール支持調整機構７Ａの全体構成を示している。各図に示すように、主走査スライドレール支持調整機構７Ａは、大略すると主走査スライドレール受８、支持調整ねじ固定ナット９、回転固定用円板止めねじ１０、回転固定用円板１１、支持調整ねじ１２、支持調整スリーブ１３、及び支持調整ねじブラケット１４等により構成されている。
【００５２】
プロッタユニットＰを構成する主走査スライドレール２は、キャリッジ１を主走査方向５に移動するためのガイドとして機能する。この主走査スライドレール２は、主走査スライドレール受８に支持されている。
【００５３】
主走査スライドレール受８は、図２、図３、及び図６に示すように、板状の金属をプレス成型したものであり、底板部の両側部に鍔状の部分が形成されている。主走査スライドレール２は、この鍔状の部分に固定される構成とされている。また底板部には、支持調整ねじ１２を挿通するための支持調整ねじ用貫通穴２６と、回転固定用円板１１の円板止めねじ穴２３に対応して形成された円板止めねじ用貫通穴２５が形成されている。
【００５４】
この底板部に形成される円板止めねじ用貫通穴２５は、支持調整ねじ用貫通穴２６の中心位置を中心とした円弧状を有した長穴とされている。また、円板止めねじ用貫通穴２５の支持調整ねじ用貫通穴２６の中心とした円弧の角度を円板止めねじ用貫通穴開き角度θ２（図６に矢印で示す）とした場合、この円板止めねじ用貫通穴開き角度θ２は４５°に設定されている（θ２＝４５°）。
【００５５】
回転固定用円板１１は、図５に拡大して示すように、中央に支持調整ねじ嵌合用小判型穴２１が形成されると共に、円周部には等間隔で円板止めねじ穴２３が複数形成されている。この回転固定用円板１１は、後述する支持調整ねじ１２の小判型軸部２０に支持調整ねじ嵌合用小判型穴２１を嵌合させることにより、支持調整ねじ１２に回転固定される。
また、等間隔に形成された円板止めねじ穴２３のピッチ（以下、円板止めねじ穴ピッチ角度θ１という）は、４５度に設定されている（θ１＝４５°）。
【００５６】
支持調整ねじ１２は、図４に拡大して示すように、支持調整スリーブ嵌合用送りねじ部１７（以下、単に送りねじ部という）、支持調整ねじ固定用ねじ部１８（以下、単に固定用ねじ部１８という）、六角レンチ嵌合用六角穴１９、及び円板嵌合用小判型軸部２０を有した構成とされている。送りねじ部１７は台形ねじであり（図７参照）、円板嵌合用小判型軸部２０の図中下方に形成されており、固定用ねじ部１８は円板嵌合用小判型軸部２
０の図中上方に形成されている。よって、送りねじ部１７と固定用ねじ部１８は、円板嵌合用小判型軸部２０を挟んでその上下に形成された構成とされている。
【００５７】
送りねじ部１７は、後述する支持調整スリーブ１３のねじ穴１３ａに螺合する部位である。また、固定用ねじ部１８は、後述する支持調整ねじ固定ナット９が螺合する部位である。また、円板嵌合用小判型軸部２０は、後述する回転固定用円板１１に形成された支持調整ねじ嵌合用小判型穴２１と係合する部位である。
更に、支持調整ねじ１２の図中上端部には、六角レンチ嵌合用六角穴１９が形成されている。この六角レンチ嵌合用六角穴１９は、後述する主走査スライドレール２の調整時に六角レンチ６が挿入装着される部位である。
【００５８】
上記した送りねじ部１７、固定用ねじ部１８、六角レンチ嵌合用六角穴１９、及び円板嵌合用小判型軸部２０は、同軸的に形成されている。また、各構成部位１７〜２０の外形（直径）は、送りねじ部１７、円板嵌合用小判型軸部２０、固定用ねじ部１８、六角レンチ嵌合用六角穴１９の順で小さくなるよう形成されている。よって、送りねじ部１７と円板嵌合用小判型軸部２０との間には段差が形成され、固定用ねじ部１８と円板嵌合用小判
型軸部２０との間にも段差が形成された構成とされている。
【００５９】
支持調整スリーブ１３は、主走査スライドレール支持調整機構７Ａをプロッタ側板４に固定する機能を奏するものである。支持調整スリーブ１３は直方体形状を有したブロック状の部材であり、その内側にはねじ穴１３ａが形成されている。本実施例では、このねじ穴１３ａは、台形ねじとされている。
【００６０】
前記した支持調整ねじ１２は、このねじ穴１３ａに挿入され、送りねじ部１７はねじ穴１３ａに螺合する。よって、後述するように六角レンチ６を六角レンチ嵌合用六角穴１９に装着し、支持調整ねじ１２を六角レンチ嵌合用六角穴１９を用いて回転させた場合、支持調整ねじ１２は支持調整スリーブ１３に対して上下移動する。この支持調整ねじ１２の上下移動により、主走査スライドレール受８（即ち、主走査スライドレール２）の高さ位
置を調整することができる。
【００６１】
この支持調整スリーブ１３は支持調整スリーブ止めねじ１５を用いて支持調整ねじブラケット１４に固定される。そして、支持調整ねじブラケット１４を支持調整ねじブラケット止めねじ１６を用いてプロッタ側板４に固定することにより、主走査スライドレール支持調整機構７Ａはプロッタ側板４に固定される。
【００６２】
次に、上記構成とされた主走査スライドレール支持調整機構７Ａの組み立て方法について説明する。主走査スライドレール支持調整機構７Ａを組み立てるには、先ず支持調整スリーブ１３をプロッタ側板４に固定する。具体的前記のように支持調整スリーブ１３を支持調整スリーブ止めねじ１５を用いて支持調整ねじブラケット１４に固定した後、この支持調整ねじブラケット１４を支持調整ねじブラケット止めねじ１６を用いてプロッタ側板
４に固定する。
【００６３】
続いて、プロッタ側板４に固定された支持調整スリーブ１３に、支持調整ねじ１２を装着する。具体的には、支持調整ねじ１２の送りねじ部１７を支持調整スリーブ１３のねじ穴１３ａに螺着する。これにより、支持調整ねじ１２は支持調整スリーブ１３を介してプロッタ側板４に支持された構成となる。
【００６４】
この際、支持調整ねじ１２の送りねじ部１７又は支持調整スリーブ１３のねじ穴１３ａには、予めねじ緩み止め剤を塗布しておく。これにより、ねじ穴１３ａに送りねじ部１７が螺合した際、両者の間にガタを無くすことができ、後述する主走査スライドレール受８の高さ調整を高精度に行うことができる。
【００６５】
次に、回転固定用円板１１を支持調整ねじ１２に装着する。具体的には、支持調整ねじ１２の円板嵌合用小判型軸部２０に回転固定用円板１１の支持調整ねじ嵌合用小判型穴２１を嵌合させる。上記の軸部２０及び穴２１は小判型であるため、嵌合後に支持調整ねじ１２を回転させた際、円板嵌合用小判型軸部２０と支持調整ねじ嵌合用小判型穴２１が互いに滑ることはない。よって、上記嵌合後においては、支持調整ねじ１２と回転固定用円板１１は一体的に移動する。
【００６６】
尚、回転固定用円板１１を支持調整ねじ１２に装着した際、回転固定用円板１１は送りねじ部１７と円板嵌合用小判型軸部２０との間に形成された段部に係合しており、よって回転固定用円板１１にガタツキが発生することを防止している。また、支持調整ねじ１２に回転固定用円板１１が装着された状態において、固定用ねじ部１８は回転固定用円板１１の上面より上方向（Ｚ２方向）に突出するよう構成されている。
【００６７】
次に、回転固定用円板１１から突出した固定用ねじ部１８に支持調整ねじ用貫通穴２６を挿入させることにより、回転固定用円板１１上に主走査スライドレール受８を装着する。これにより、主走査スライドレール受８は回転固定用円板１１上に載置された状態となる。また、固定用ねじ部１８の一部は主走査スライドレール受８の底板部からも突出した状態となる。
【００６８】
この際、支持調整ねじ１２の上端部には六角レンチ嵌合用六角穴１９が形成されているため、六角レンチ６をこの六角レンチ嵌合用六角穴１９に装着し回転させると、支持調整ねじ１２は支持調整スリーブ１３に対して上下移動し、これによりプロッタ側板４（支持調整スリーブ１３）に対して主走査スライドレール受８を上下移動させることができる。
【００６９】
また前記のように、主走査スライドレール２は主走査スライドレール受８に固定されている。よって、支持調整ねじ１２を六角レンチ６により回転させることにより、プロッタ側板４に対して主走査スライドレール２の位置調整（高さ調整）を行うことが可能となる。
【００７０】
また、回転固定用円板１１上に主走査スライドレール受８に載置された状態で、主走査スライドレール受８に形成された円板止めねじ用貫通穴２５と、回転固定用円板１１に形成された円板止めねじ穴２３が対向するよう構成されている。回転固定用円板止めねじ１０は、円板止めねじ用貫通穴２５を介して円板止めねじ穴２３に螺着される。この回転固定用円板止めねじ１０の締め付け力により回転固定用円板１１は主走査スライドレール受８に固定され、よって支持調整ねじ１２の回転も規制される。
【００７１】
その上で、支持調整ねじ固定ナット９を固定用ねじ部１８の主走査スライドレール受８の底板部から突出した部分に螺合する。このように支持調整ねじ固定ナット９が固定用ねじ部１８に螺着され、回転固定用円板止めねじ１０が円板止めねじ穴２３に螺着することにより、主走査スライドレール受８は高さ方向（Ｚ１，Ｚ２方向）に固定された状態となる。
【００７２】
続いて、主走査スライドレール支持調整機構７Ａを用いた、主走査スライドレール２の高さ調整作業（Ｚ１，Ｚ２方向の位置調整作業）について説明する。
【００７３】
主走査スライドレール２の高さ調整を行うには、主走査スライドレールの上面側より、先ず支持調整ねじ１２上面の六角穴１９に六角レンチ６（図４参照）を差込んで回転させる。これにより、プロッタ側板４（プロッタユニットＰ）に固定された支持調整スリーブ１３に対して支持調整ねじ１２は上下移動（Ｚ１，Ｚ２方向に移動）する。
【００７４】
前記のように、支持調整ねじ１２には回転固定用円板１１が設けられており、主走査スライドレール受８はこの回転固定用円板１１上に載置された状態となっている。よって、支持調整ねじ１２が上下移動することにより主走査スライドレール受８もプロッタ側板４に対して上下動し、これにより主走査スライドレール２のプロッタ側板４に対する高さを調整することが可能となる。この調整は、主走査スライドレール２がキャリッジ１が円滑に移動を行いうる位置（適正位置）に至るまで実施される。
【００７５】
この際、図７に示すように本実施例では、送りねじ部１７及びこれと螺合するねじ穴１３ａを共に台形ねじとしているため、高精度に微調整できると共にねじ嵌合部のガタをほとんど無くすことができる。更に、送りねじ部１７又はねじ穴１３ａには予めねじ緩み止め剤が塗布されているため、これによってもねじ嵌合部にガタが発生することを防止でき、主走査スライドレール受８の高さ調整を高精度に行うことができる。
【００７６】
また、このようにねじ螺合部のガタがほとんどなくなるため、支持調整ねじ１２の回転を固定した後、支持調整スリーブ１３に対するガタ取りをするために別箇にねじ固定機構等を設けることも不要となる。よって、主走査スライドレール支持調整機構７Ａの構成の簡単化、及びコスト低減を図ることができる。
【００７７】
上記のように支持調整ねじ１２を上下移動して主走査スライドレール受８の高さ調整を行っただけの構成では、支持調整ねじ１２は移動可能な状態であるため、再び主走査スライドレール受８（即ち、主走査スライドレール２）の高さ位置が適正位置から移動してしまう可能性がある。そこで、上記の位置調整を行った後、主走査スライドレール２の上面より、穿設された円板止めねじ用貫通穴２５から見える、回転固定用円板１１の円板止め
ねじ穴２３に、回転固定用円板止めねじ１０を通してねじ込み回転固定する。このことにより回転固定用円板１１は、支持調整ねじ１２の小判型軸部２０に対し回転固定されているため、支持調整ねじ１２も回転固定することができる。
【００７８】
この回転固定用円板１１に形成される円板止めねじ穴２３は、主走査スライドレール２の位置調整精度に影響する。以下、これについて説明する。
【００７９】
今、仮に主走査スライドレール受８に形成される円板止めねじ用貫通穴２５が、本実施例のような長穴ではなく、円板止めねじ穴２３と略等しい直径の穴であると仮定する。具体的には、回転固定用円板１１に形成された複数の円板止めねじ穴２３の円板止めねじ穴ピッチ角度θ１が４５°間隔であるとする（図５参照）。この場合、支持調整ねじ１２が１／８回転するごとに円板止めねじ用貫通穴２５から円板止めねじ穴２３が見えるため、
このピッチで回転固定用円板止めねじ１０を円板止めねじ穴２３にねじ固定することができるようになる。
【００８０】
具体的には、円板止めねじ穴ピッチ角度θ２を４５°間隔にすれば（θ２＝４５°）、支持調整ねじ１２の送りねじ部１７のピッチが１．５ｍｍの場合、１．５ｍｍ÷８＝０．１８７５ｍｍとなるので、主走査スライドレール２を０．１８７５ｍｍのピッチで上下調整させることが可能となる。
【００８１】
これに対し、本実施例のように，主走査スライドレール受８の円板止めねじ用貫通穴２５の円板止めねじ用貫通穴開き角度θ１を円周方向に４５°以上の角度でひらく長穴した場合、支持調整ねじ１２の回転角度に関係なく、常に主走査スライドレール受８の円板止めねじ用貫通穴２５より円板止めねじ穴２３のどれかが見えるようになるため、主走査スライドレール２を無段階で上下調整させることが可能となる。
【００８２】
上記した主走査スライドレール受８（主走査スライドレール２）の高さ調整及び支持調整ねじ１２に対する回転固定する作業が終了すると、最後に主走査スライドレール受８（主走査スライドレール２）の上面より、支持調整ねじ用貫通穴２６から突出した固定用ねじ部１８に支持調整ねじ固定用ナット９を螺着する。これにより、主走査スライドレール受８を支持調整ねじ１２に対し、固定することができる。
【００８３】
上記したように本実施例に係る主走査スライドレール支持調整機構７Ａは、主走査スライドレール受８（主走査スライドレール２）の高さ調整を行う際、主走査スライドレール受８の上面に突出した支持調整ねじ１２の六角レンチ嵌合用六角穴１９に六角レンチ６を装着して回転させることにより、主走査スライドレール受８の高さを高精度に調整することができる。よって、全て主走査スライドレール受８（主走査スライドレール２）の上面側一方向より主走査スライドレール受８の高さ調整を容易に行うことが可能となる。
【００８４】
尚、主走査スライドレール２の支持をプラテン３の４隅近傍の４箇所で行う場合、この４ヶ所の全てに上記した主走査スライドレール支持調整機構７Ａを設けることも可能であるが、この構成では調整処理が面倒になると共に部品点数が増大して現実てきでない。よって、上記の４ヶ所の内、３箇所は主走査スライドレール２を固定の支持とし、残りの１箇所のみ本実施例による主走査スライドレール支持調整機構７Ａを使用する構成とするこ
とが望ましい。この構成により、４ヶ所全てに主走査スライドレール支持調整機構７Ａを設けた構成に比べ、調整処理の簡単化及び低コスト化を図ることができる。
【００８５】
また、上記した実施例では、支持調整ねじ１２の上端部に六角レンチ６が挿入される六角レンチ嵌合用六角穴１９を形成した構成を示したが、この前記先端の六角穴１９は、使用する工具に合わせて変更は可能である。例えば、工具とてマイナスドライバーを使用するのであれば、六角レンチ嵌合用六角穴１９に代えて支持調整ねじ１２の上端部にすり割り溝を形成する構成としてもよい。
【００８６】
次に、本発明の第２実施例である主走査スライドレール支持調整機構について説明する。
【００８７】
図８乃至図１１は、本発明の第２実施例である主走査スライドレール支持調整機構７Ｂを説明するための図である。尚、図８乃至図１１において、図１乃至図７に示した構成と対応する構成については、同一符号を付してその説明を省略する。
【００８８】
本実施例においても、プロッタユニットのプロッタ側板４に、支持調整スリーブブラケット１４を介して、支持調整ねじ３２と嵌合する支持調整スリーブ１３を取り付けるようになっており、更に、この支持調整ねじ１２の上に主走査スライドレール受８を載せ、その上に回転固定用円板３０を載置する構成とされている。
【００８９】
本実施例における回転固定用円板３０は、図１１に拡大して示すように、中央に支持調整ねじ嵌合用小判型穴２１が形成されると共に、円周部には回転固定止めねじ用穴３５が複数形成されている。この回転固定止めねじ用穴３５は、半径方向に長穴とされた形状を有している。
【００９０】
また、回転固定止めねじ用穴３５はねじ穴ではなく、回転固定用円板止めねじ１０を挿通しうる挿通穴とされている（回転固定用円板止めねじ１０のねじ頭とは係合する構成となっている）。上記構成とされた回転固定用円板３０は、支持調整ねじ３２の小判型軸部２０に支持調整ねじ嵌合用小判型穴２１を嵌合させることにより、支持調整ねじ３２に固定される。
【００９１】
また、本実施例における支持調整ねじ３２は、送りねじ部１７の形成位置と円板嵌合用小判型軸部２０の形成位置との間に段付き面３３が形成されている。本実施例では、主走査スライドレール受８は、この段付き面３３上に載置される。
【００９２】
主走査スライドレール受８は、第１実施例と同様に固定用ねじ部１８を挿通するための支持調整ねじ用貫通穴２６が形成される。第１実施例では、主走査スライドレール受８に円板止めねじ用貫通穴２５（長穴）が形成された構成とされていたが、本実施例では円板止めねじ穴３８が形成された構成とされている。この円板止めねじ穴３８は、後述するように回転固定用円板３０を支持調整ねじ３２に配設した際、回転固定用円板３０に形成さ
れた回転固定止めねじ用穴３５と対向する位置に形成されている。
【００９３】
続いて、上記構成を有する主走査スライドレール支持調整機構７Ｂを用いた、主走査スライドレール２の高さ調整作業（Ｚ１，Ｚ２方向の位置調整作業）について説明する。
【００９４】
主走査スライドレール２の高さ調整作業を行うには、先ず支持調整ねじ３２の送りねじ部１７を支持調整スリーブ１３のねじ穴１３ａに螺着させる。続いて、この支持調整スリーブ１３に装着された支持調整ねじ３２に、主走査スライドレール受８を装着する。具体的には、固定用ねじ部１８を主走査スライドレール受８の支持調整ねじ用貫通穴２６に挿入する。
【００９５】
これにより、主走査スライドレール受８は段付き面３３上に載置された状態となる。第１実施例では、主走査スライドレール受８の装着より前に回転固定用円板１１を支持調整ねじ１２に装着していたが、本実施例では回転固定用円板３０よりも先に主走査スライドレール受８を支持調整ねじ１２に装着することを特徴とする。このように、主走査スライドレール受８が段付き面３３上に載置された状態において、支持調整ねじ３２の円板嵌合
用小判型軸部２０の一部、及び固定用ねじ部１８は主走査スライドレール受８の上面から突出した状態となっている。
【００９６】
次に、主走査スライドレール受８の上面から突出した円板嵌合用小判型軸部２０に回転固定用円板３０を装着する。回転固定用円板３０の回転固定止めねじ用穴３５は小判型とされている。このため、円板嵌合用小判型軸部２０が支持調整ねじ嵌合用小判型穴２１と係合することにより、回転固定用円板３０は支持調整ねじ３２と一体的に回転する構成となる。
【００９７】
上記のように主走査スライドレール受８及び回転固定用円板３０が支持調整ねじ３２に装着された状態で、主走査スライドレール受８（主走査スライドレール２）の上下位置調整が行われる。この調整作業は、第１実施例と同様に、支持調整ねじ３２の上端部に形成された六角穴１９に六角レンチ６を差込んで回転させることにより行う。
【００９８】
支持調整ねじ３２が回転することにより、支持調整ねじ３２は支持調整スリーブ１３に対して上下方向に移動し、これにより支持調整ねじ３２の段付き面３３上に載置された主走査スライドレール受８（主走査スライドレール２）も上下移動する。これにより、走査スライドレール受８（主走査スライドレール２）の高さ調整を行うことができる。そして、更に支持調整ねじ３２を微調整し、回転固定用円板３０の回転固定止めねじ用穴３５と、主走査スライドレール受８の円板止めねじ穴３８を合わせる。
【００９９】
この高さ調整後、回転固定用円板３０の上面より、回転固定止めねじ用穴３５から見える主走査スライドレール受８の円板止めねじ穴３８に回転固定用円板止めねじ１０を螺着する。前記のように、回転固定用円板３０に形成された支持調整ねじ嵌合用小判型穴２１は、支持調整ねじ３２の円板嵌合用小判型軸部２０と係合している。よって、回転固定用円板止めねじ１０により回転固定用円板３０を固定しその回転を止めることにより、支持
調整ねじ３２の回転も止められた構成となる。
【０１００】
また、回転固定用円板３０の上面より、支持調整ねじ３２の上側にある固定用ねじ部１８に支持調整ねじ固定ナット９を締結することにより、主走査スライドレール受８を支持調整ねじ３２に対して固定することができる。このように、本実施例においても、主走査スライドレール２の高さ調整作業を全て主走査スライドレール受８（主走査スライドレール２）の上面側一方向より行うことができるため、高さ調整作業における作業性の向上を図ることができる。
【０１０１】
一方、上記したように本実施例では、主走査スライドレール受８が支持調整ねじ３２の段付き面３３に載置されることにより支持された構成となっている。また、回転固定用円板止めねじ１０は、円柱部１０ｂとねじ部との間に段差部１０ａを有した段付きねじ構造とされている。
【０１０２】
本実施例のように回転固定用円板止めねじ１０を段付きねじ構造とすることにより、回転固定用円板止めねじ１０を円板止めねじ穴３８に螺着しても、回転固定用円板止めねじ１０により回転固定用円板３０を下方（Ｚ１方向）に押圧されない構成とすすることができる。しかしながら、回転固定用円板止めねじ１０の円柱部１０ｂは回転固定止めねじ用穴３５と係合するため、回転固定用円板３０の回転は規制される。このように、本実施例
の構成によれば回転固定用円板３０が主走査スライドレール受８に押し付けられない構造とすることができ、よって回転固定用円板止めねじ１０を螺着しても主走査スライドレール受８が支持調整ねじ３２に形成された段付き面３３に倣って変形することを防止できる。
【０１０３】
また、本実施例では、回転固定用円板３０の回転固定止めねじ用穴３５のあいている外周の面３７は、中央の小判型穴２１のある円板中央面３４に対して厚みを有した構成とされている。従って、支持調整ねじのねじ部１８に、支持調整ねじ固定用ナット９を締結しても、中央面３４の下面側のみが主走査スライドレール受８に密着し、外周面３７の下面側は、主走査スライドレール受８より浮き上がった状態となる。よって、これによっても
主走査スライドレール受８が段付き面３３に倣って変形することを防止できる。
【０１０４】
このように、本実施例の構成では、主走査スライドレール受８の変形量を少なくすることができる。よって、主走査スライドレール２の支持を４隅近傍の４箇所で行い、３箇所は主走査スライドレール２の上下位置を固定の支持とし、１箇所のみ本実施例による主走査スライドレール支持調整機構を使用したとしても、主走査スライドレール支持調整機構７Ｂにより抵抗なく容易に印刷ヘッド面とプラテン面との平行度を調整することできる。
【０１０５】
また本実施例では、回転固定用円板３０の回転固定止めねじ用穴３５を半径方向に長い長穴としている。この構成とすることにより第１実施例と異なり、回転固定用円板３０の支持調整ねじ嵌合用小判型穴２１から回転固定止めねじ用穴まで距離と、主走査スライドレール受８の支持調整ねじ用貫通穴２６から円板止めねじ穴３８までの距離を厳密に同一にする必要はない。よって、高さ調整を行った後、回転固定用円板止めねじ１０を回転固定止めねじ用穴３５に容易に螺着することができ、これによっても調整作業の簡単化を図ることができる。
【０１０６】
更に本実施例では、第１実施例と同様に、回転固定用円板３０の回転固定止めねじ用穴３５を等角度間隔に形成した構成としている。この構成により、例えば円板止めねじ穴ピッチ角度θ３（図１１参照）を４５°間隔であければ、１／８回転ごとに回転固定用円板３０の回転固定止めねじ用穴３５から、主走査スライドレール受８の円板止めねじ穴３８が見えることにより、回転固定用円板止めねじ１０のねじ固定を容易に行うことができる。
【０１０７】
次に、本発明の第３実施例である主走査スライドレール支持調整機構について説明する。
【０１０８】
図１２及び図１３は、本発明の第３実施例である主走査スライドレール支持調整機構を説明するための図である。図１２は支持調整ねじの回転固定用円板４０であり、図１３は主走査スライドレール支持調整機構の分解図である。尚、図１２及び図１３において、図１乃至図１１に示した構成と対応する構成については、同一符号を付してその説明を省略する。
【０１０９】
本実施例に係る主走査スライドレール支持調整機構は、回転固定用円板４０の円周部に、回転固定止めねじ用として円周方向に長い長穴３６を複数設けたことを特徴としている。回転固定止めねじ用穴３６を円周方向に長い長穴にすることにより、回転固定用円板４０を回転固定用円板止めねじ１０によりねじ固定する際、長穴部の範囲において回転角度を無段階で固定することが可能となる。
【０１１０】
尚、本実施例においても、持調整ねじ３２のねじ部１７と、これにねじ嵌合する支持調整スリーブ１３の内側のめねじ部１３ａを台形ねじとしている。また、支持調整ねじ３２のねじ部１７、若しくはこれに螺着する支持調整スリーブ１３の内側のめねじ部には、ねじ緩み止め処理が配設されている。これにより、高精度に微調整できると共に、ねじ嵌合部のガタがほとんどなくなるため、別箇に支持調整スリーブ１３に対するガタ取りをするためのねじ固定機構等を設けることを不要とすることができる。
【０１１１】
次に、本発明の第４実施例であるプロッタユニット支持調整機構について説明する。
【０１１２】
画像形成装置には種々の形態があるが、以下の説明においては、上方に主に印刷を行うプロッタユニットと、下方に主に給紙部等を持つ給紙ユニットを持ち、上下に分離可能な画像形成装置のプロッタユニットＰを例に挙げて説明する。プロッタユニット支持調整機構は、プロッタユニットの４隅近傍に配置されるものとする。
【０１１３】
図１４は、本発明に係る画像形成装置を示している。また、この画像形成装置には、本発明の第４実施例であるプロッタユニット支持調整機構４３が搭載されている。
【０１１４】
図１５乃至図１８は、プロッタユニット支持調整機構を説明するための図である。
【０１１５】
プロッタユニット支持調整機構は、第１乃至第３実施例と同様に、回転固定用円板１１、回転固定用円板止めねじ１０を持ち、更にプロッタユニット支持調整ねじ４６、プロッタ側板４、及びプロッタユニット固定ねじ４７等により構成されている。
【０１１６】
本実施例では、プロッタユニット支持調整ねじ４６は、図１７に拡大して示すように、プロッタ側板嵌合用送りねじ部５０（以下、単に送りねじ部という）、六角ソケットレンチ嵌合用六角外形４９、円板嵌合用小判型軸部２０、円筒部５１、及びプロッタユニット固定ねじを挿通するための貫通穴４８を有した構成とされている。
【０１１７】
送りねじ部５０は、プロッタ側板４の底板部にあるねじ穴５２に螺合する部位である。円板嵌合用小判型軸部２０は、第１実施例と同様に回転固定用円板１１に形成された支持調整ねじ嵌合用小判型穴２１と係合する部位である。また、プロッタユニット支持調整ねじ４６の図中上端部には、六角ソケットレンチ嵌合用六角外形部４９が形成されている。この六角ソケットレンチ嵌合用六角外形部４９は、後述するプロッタユニットの高さ調整作業時に六角ソケットレンチ５５が装着される部位である。更にプロッタユニット支持調整ねじ４６の図中下端部に円筒部５１と、中心にプロッタユニットを給紙ユニットに結合固定させるための固定ねじを挿通する貫通穴４８を有している。
【０１１８】
上記した送りねじ部５０、六角ソケットレンチ嵌合用六角外形部４９、円板嵌合用小判型軸部２０、円筒部５１、プロッタユニット固定ねじ貫通穴４８は、同軸的に形成されている。また、各構成部位の外形（直径）は、円筒部５１、円板嵌合用小判型軸部２０、送りねじ部５０、六角ソケットレンチ嵌合用六角外形部４９、プロッタユニット固定ねじ貫通穴４８の順で小さくなるよう形成されている。よって、送りねじ部５０と円板嵌合用小判型軸部２０との間には段差が形成された構成とされている。
【０１１９】
プロッタ側板４の底板部には、プロッタユニット支持調整ねじ４６の送りねじ部５０に螺号するねじ穴５２と、回転固定用円板１１の円板止めねじ穴２３に対応して形成された円板止めねじ用貫通穴２５が形成されている共に、回転固定用円板１１の厚さと外径に合わせた対向する２つの段曲げ形状５３と、Ｌ曲げ形状５４を有している。
【０１２０】
プロッタ側板の２つの段曲げ形状５３の垂直方向の曲げ部とＬ曲げ形状の位置は、回転固定用円板１１の外径に対して若干の隙間を持たせ、段曲げ形状の水平方向の曲げ部高さは、回転固定用円板１１の厚みに対して微小な隙間を持って形成された構成とされている。
【０１２１】
上記構成とされたプロッタユニット支持調整機構４３の組み立て方法について説明する。先ず、回転固定用円板１１をプロッタ側板４に装着する。具体的には、回転固定用円板１１をプロッタ側板の底板部２つの段曲げ形状５３の間に差し込み、Ｌ曲げ形状５４に突き当たるまで移動させる。２つの段曲げ形状５３により、回転固定用円板１１はプロッタ側板４の底面より離間することなく、位置が安定すると共に、Ｌ曲げ形状５４により、回転固定用円板１１の支持調整ねじ嵌合用小判型穴２１と、プロッタ側板４のねじ穴５２が略同軸となる位置にセットすることができる。
【０１２２】
続いて、プロッタ側板４、及びプロッタ側板４に装着された回転固定用円板１１に、プロッタユニット支持調整ねじ４６を装着する。具体的には、プロッタユニット支持調整ねじ４６の送りねじ部５０を、回転固定用円板１１の支持調整ねじ嵌合用小判型穴２１に挿通して、プロッタ側板４の底板部のねじ穴５２に螺着する。螺着する工程で、プロッタユニット支持調整ねじ４６の円板嵌合用小判型軸部２０に回転固定用円板１１の支持調整ねじ嵌合用小判型穴２１を嵌合させる。上記の軸部２０及び穴２１は小判型であるため、嵌合後にプロッタユニット支持調整ねじ４６を回転させた際、円板嵌合用小判型軸部２０と支持調整ねじ嵌合用小判型穴２１が互いに滑ることはない。よって、上記嵌合後においては、プロッタユニット支持調整ねじ４６と回転固定用円板１１は一体的に回転する。
【０１２３】
この際、プロッタユニット支持調整ねじ４６の上端部には六角ソケットレンチ嵌合用六角外形４９が形成されているため、六角ソケットレンチ５５をこの六角ソケットレンチ嵌合用六角外形４９に装着し回転させると、プロッタユニット支持調整ねじ４６はプロッタ側板４に対して上下に移動し、これによりプロッタ側板４（即ち、プロッタユニット）を上下に移動させることができる。
【０１２４】
プロッタユニット支持調整ねじ４６を回転固定用円板１１を挟んでプロッタ側板４の底板部のねじ穴５２に螺合すると、送りねじ部５０と円板嵌合用小判型軸部２０との段差部がプロッタ側板４の底板部に突き当たった位置で止まり、プロッタユニット支持調整ねじ４６はプロッタ側板４に固定される。従って、プロッタ側板４の底板部よりプロッタユニット支持調整ねじ４６の円筒部５１の端面までの高さａは、図１８（ａ）に示すように、プロッタユニット支持調整ねじ４６の円板嵌合用小判型軸部２０と円筒部５１の高さにより決定される。
【０１２５】
プロッタユニットの支持をプロッタユニットの４隅近傍の４箇所で行う場合、この４ヶ所の全てに上記したプロッタユニット支持調整機構４３を設けることにより、容易に全て同じ高さに設定することができる。
【０１２６】
最後に、プロッタ側板４の底板部に螺着されたプロッタユニット支持調整ねじ４６の中心にある貫通穴４８に、プロッタユニット固定ねじ４７を挿通し、給紙天板４４に形成されたねじ穴４５に螺合させることにより、プロッタユニットを給紙ユニットに結合固定することができる。
【０１２７】
次に、プロッタユニット支持調整機構４３を用いた、プロッタユニットの高さ調整作業について説明する。
【０１２８】
プロッタユニットの高さ調整を行うには、プロッタユニットの上面側より、先ずプロッタユニット固定ねじ４７を緩めてから、プロッタユニット支持調整ねじ４６の上端部の六角ソケットレンチ嵌合用六角外形４９に六角ソケットレンチ５５を装着して緩み方向に回転させる。これにより、プロッタ側板４（プロッタユニットＰ）に螺合されたプロッタユニット支持調整ねじ４６は下方向に移動する。
【０１２９】
図１８（ｂ）に示すように、プロッタ側板４の底板部からプロッタユニット支持調整ねじ４６の円筒部５１の端面までの高さが所定の高さｂになるよう調整した後、プロッタユニットの上面側より、回転固定用円板止めねじ１０を円板止めねじ用貫通穴２５を介して円板止めねじ穴２３に螺着する。
【０１３０】
回転固定用円板１１上はプロッタ側板４に装着された状態では、プロッタ側板の２つの段曲げ形状５３により、プロッタ側板の底板部より離間することがないため、回転固定用円板止めねじ１０を円板止めねじ穴２３に螺着する際に効率良く作業が行える。
【０１３１】
ここで、第１実施例同様に、プロッタ側板４に形成された円板止めねじ用貫通穴２５と、回転固定用円板１１に形成された円板止めねじ穴２３は対向するよう構成されている。回転固定用円板止めねじ１０を、円板止めねじ用貫通穴２５を介して円板止めねじ穴２３に螺合すると、この回転固定用円板止めねじ１０の締め付け力により回転固定用円板１１はプロッタ側板４に固定され、よってプロッタユニット支持調整ねじ４６の回転も規制される。
【０１３２】
上記したプロッタ側板４の高さ調整作業、及びプロッタユニット支持調整ねじ４６に対する回転固定作業が終了すると、プロッタユニットの上面側より、緩めたプロッタユニット固定ねじ４７をプロッタユニット支持調整ねじ４６を介して給紙天板４４に形成されたねじ穴４５に螺合する。これにより、プロッタユニットを給紙ユニットに結合固定することができる。
このように、本実施例においても、プロッタユニットの高さ調整作業を全てプロッタユニットの上面側の一方向より行うことができるため、高さ調整作業における作業性の向上を図ることができる。
【０１３３】
以上、本発明の好ましい実施例について詳述したが、本発明は上記した特定の実施形態に限定されるものではなく、特許請求の範囲に記載された本発明の要旨の範囲内において、種々の変形・変更が可能なものである。
【０１３４】
例えば、上記した各実施例に係る主走査スライドレール支持調整機構は、シリアル印刷式画像形成装置に搭載可能であるため、印刷ヘッド面とプラテン面との隙間、及び平行度調整作業が容易なシリアル印刷式画像形成装置を提供することができる。
【０１３５】
また、上記した各実施例では主走査スライドレール受けを設けた構成とているが、この主走査スライドレール受けは必ずしも必要ではなく、直接スライドレールを主走査スライドレール受けを有しない主走査スライドレール支持調整機構に支持させる構成とすることも可能である。
【符号の説明】
【０１３６】
１  キャリッジ
２  主走査スライドレール
３  プラテン
４  プロッタ側板
６  六角レンチ
７Ａ，７Ｂ  主走査スライドレール支持調整機構
８  主走査スライドレール受
９  支持調整ねじ固定ナット
１０  回転固定用円板止めねじ
１１，３０，４０  回転固定用円板
１２  支持調整ねじ
１３  支持調整スリーブ
１４  支持調整ねじブラケット
１５  支持調整スリーブ止めねじ
１６  支持調整ねじブラケット止めねじ
１７  支持調整スリーブ嵌合用送りねじ部
１８  支持調整ねじ固定用ねじ部
１９  六角レンチ嵌合用六角穴
２０  円板嵌合用小判型軸部
２１  支持調整ねじ嵌合用小判型穴
２３  円板止めねじ穴
２５  円板止めねじ用貫通穴
２６  支持調整ねじ用貫通穴
３２  支持調整ねじ
３３  段付き面
３５  回転固定止めねじ用穴（半径方向長穴）
３４  円板中央面
３７  円板外周面
３６  回転固定止めねじ用穴（円周方向長穴）
３８  円板止めねじ穴
４１  給紙側板
４２  給紙ロール
４３  プロッタユニット支持調整機構
４４  給紙天板
４５  プロッタユニット固定ねじ穴
４６  プロッタユニット支持調整ねじ
４７  プロッタユニット固定ねじ
４８  プロッタユニット固定ねじ貫通穴
４９  六角ソケットレンチ嵌合用六角外形部、
５０  給紙天板嵌合用送りねじ部
５１  円筒部
５２  送りねじ嵌合ねじ穴
５３  円板受け用段曲げ形状
５４  円板受け用Ｌ曲げ形状
５５  六角ソケットレンチ
【先行技術文献】
【特許文献】
【０１３７】
【特許文献１】特開２００６−２９７７９３号公報
【特許文献２】特開２００１−１７１１９４号公報
【特許文献３】特開２０００−２８９２７３号公報
【特許文献４】特許第３２８６０５９公報
【図１】
2010089485.tif 000003
【図２】
2010089485.tif 000004
【図３】
2010089485.tif 000005
【図４】
2010089485.tif 000006
【図５】
2010089485.tif 000007
【図６】
2010089485.tif 000008
【図７】
2010089485.tif 000009
【図８】
2010089485.tif 000010
【図９】
2010089485.tif 000011
【図１０】
2010089485.tif 000012
【図１１】
2010089485.tif 000013
【図１２】
2010089485.tif 000014
【図１３】
2010089485.tif 000015
【図１４】
2010089485.tif 000016
【図１５】
2010089485.tif 000017
【図１６】
2010089485.tif 000018
【図１７】
2010089485.tif 000019
【図１８】
2010089485.tif 000020